(57)【要約】【課題】従来の技術による諸問題を解決するため、校正可能なアナログ／デジタル変換器を提供する。【解決手段】入力電圧を受信して第一出力電圧と第二出力電圧を生じさせる１個以上のフォルダーと、第一出力電圧と第二出力電圧によってバイアス制御信号を生じさせる校正ロジックモジュールとを含む。そのうちフォルダーは、複数の参照電圧をそれぞれ受信する複数の増幅器を含む。増幅器は、複数のバイアス制御信号のうちの１つ以上によってバイアス電流を増幅器に提供するバイアス回路を含む。校正を実行する際、校正ロジックモジュールはフォルダーのあらゆる増幅器のバイアス回路を制御するためのバイアス制御信号を提供して、第一出力電圧と第二出力電圧を実質的に一致させる。【選択図】図５
2005210721.tif 000002
【特許請求の範囲】
【請求項１】
入力電圧を受信して第一出力電圧と第二出力電圧を生じさせる１個以上のフォルダーと、
第一出力電圧と第二出力電圧によってバイアス制御信号を生じさせる校正ロジックモジュールとを含み、
そのうちフォルダーは、複数の参照電圧をそれぞれ受信する複数の増幅器を含み、増幅器は、複数のバイアス制御信号のうちの１つ以上によってバイアス電流を増幅器に提供するバイアス回路を含み、なお、校正を実行する際、校正ロジックモジュールはフォルダーのあらゆる増幅器のバイアス回路を制御するためのバイアス制御信号を提供して、第一出力電圧と第二出力電圧を実質的に一致させることを特徴とするアナログ／デジタル変換器。
【請求項２】
前記増幅器はいずれも、
ゲートで参照電圧のうちの１つを受信してドレインで第一出力電圧を出力する第一トランジスターと、
ゲートで入力電圧を受信してドレインで第二出力電圧を出力する第二トランジスターと、
第一トランジスターのソースと第二トランジスターのソースとの間でカップリングされるインピーダンスとを含み、前記バイアス回路は更に、
第一トランジスターのソースにカップリングされて第一トランジスターから第一バイアス電流を取り入れるための第一バイアス回路と、
第二トランジスターのソースにカップリングされて第二トランジスターから第二バイアス電流を取り入れるための第二バイアス回路とを含むことを特徴とする請求項１記載のアナログ／デジタル変換器。
【請求項３】
参照制御信号によって入力電圧の電位を参照電圧のうちの１つの電位と実質的に同一に選択的に設定する第一マルチプレクサーを更に含み、
そのうち校正ロジックモジュールは参照制御信号を生じさせ、なお、校正を実行する際、各フォルダーの各増幅器に対して、校正ロジックモジュールは参照制御信号を利用して入力電圧を増幅器が使用する参照電圧と実質的に同一に設定することを特徴とする請求項２記載のアナログ／デジタル変換器。
【請求項４】
前記インピーダンスが抵抗器であることを特徴とする請求項２記載のアナログ／デジタル変換器。
【請求項５】
前記第一バイアス電流と第二バイアス電流の合計値が一定であることを特徴とする請求項２記載のアナログ／デジタル変換器。
【請求項６】
前記校正を実行する際、各フォルダーの各増幅器に対して、バイアス制御信号のうちの少なくとも１つは、第一バイアス電流と第二バイアス電流をいずれも予定改変量と調整することを特徴とする請求項１記載のアナログ／デジタル変換器。
【請求項７】
前記校正を実行する際、各フォルダーの各増幅器に対して、校正ロジックモジュールは増幅器の第一バイアス電流と第二バイアス電流の値を反復的に調整し、そのうち第ｉ回に第一バイアス電流と第二バイアス電流の値を調整する際、予定改変量はＢｍｉｄｄｌｅ／２ｉ＋１であり、そのうち、Ｂｍｉｄｄｌｅは第一バイアス電流と第二バイアス電流の合計値の半分にあたることを特徴とする請求項６記載のアナログ／デジタル変換器。
【請求項８】
アナログ／デジタル変換器は入力電圧を受信して第一出力電圧と第二出力電圧を生じさせる１個以上のフォルダーを含み、フォルダーは、複数の参照電圧をそれぞれ受信する複数の増幅器を含み、各フォルダーの各増幅器に対して、
入力電圧を増幅器に対応する参照電圧と実質的に同一に設定し、
第一出力電圧と第二出力電圧によってバイアス電流のうち１つ以上を調整して、第一出力電圧と第二出力電圧を実質的に一致させるなどのステップを含むことを特徴とするアナログ／デジタル変換器を校正する方法。
【請求項９】
前記各フォルダーの各増幅器に対して、バイアス電流は更に第一バイアス電流と第二バイアス電流を含み、増幅器のバイアス電流を調整する際、第一バイアス電流と第二バイアス電流の合計値が一定であることを特徴とする請求項８記載のアナログ／デジタル変換器を校正する方法。
【請求項１０】
前記第一バイアス電流と第二バイアス電流の調整は、
第一バイアス電流と第二バイアス電流をいずれも元の第一バイアス電流と第二バイアス電流との合計値の半分に設定し、
第一出力電圧と第二出力電圧をサンプリングし、
第一出力電圧と第二出力電圧によって第一バイアス電流と第二バイアス電流を調整するなどのステップを含み、そのうち第一出力電圧は第一バイアス電流に対応し、第二出力電圧は第二バイアス電流に対応することを特徴とする請求項８記載のアナログ／デジタル変換器を校正する方法。
【請求項１１】
第一バイアス電流と第二バイアス電流をいずれも予定改変量と調整することを特徴とする請求項１０記載のアナログ／デジタル変換器を校正する方法。
【請求項１２】
第一バイアス電流と第二バイアス電流の値を反復的に調整し、そのうち第ｉ回に第一バイアス電流と第二バイアス電流の値を調整する際、予定改変量はＢｍｉｄｄｌｅ／２ｉ＋１であり、そのうちＢｍｉｄｄｌｅは第一バイアス電流と第二バイアス電流の合計値の半分にあたることを特徴とする請求項１１記載のアナログ／デジタル変換器を校正する方法。
【発明の詳細な説明】
【技術分野】
【０００１】
この発明はアナログ／デジタル変換器（ＡＤＣ）に関し、特に校正可能なＡＤＣに関する。
【背景技術】
【０００２】
現実世界ではあらゆる信号はアナログ形式で表現される。デジタル信号処理システムでアナログ信号を処理する前に、アナログ／デジタル変換器（ＡＤＣ）でアナログ信号をデジタル信号に変換しなければならない。そのため、高速ＡＤＣはデジタル信号処理システムの重要な構成素子である。
【０００３】
高速信号処理装置ではフラッシュＡＤＣが用いられる。フラッシュ型ＡＤＣでは、可能な出力ビットごとに単一のコンパレーターを使用する。フラッシュ型ＡＤＣの高速はこのような平行構造によるものである。しかし、ＡＤＣの分解能の増加にしたがって、コンパレーターの数量は指数的に増加する。そうすると、ＡＤＣには大量の電力消費と広範囲のチップ面積が必要となる。よって、フラッシュＡＤＣは低電力消費の携帯型システムに応用しにくいのである。
【０００４】
折り返し／補間型ＡＤＣは前述の問題を解決できる。フラッシュ型ＡＤＣでは、いずれの時点においても、移行電圧に近いコンパレーターしか有用な信号を提供することができない。折り返し／補間型ＡＤＣではこのような特性を利用してコンパレーターの数量を削減する。フラッシュ型ＡＤＣと比べ、折り返し／補間型ＡＤＣは低い電力消費と小さいチップ面積しか要求しない。折り返し／補間型ＡＤＣでは、各コンパレーターはそれぞれ増幅器（折り返し素子[folder]と総称する）と電気的に接続される。
【０００５】
図１を参照する。図１は従来の技術による折り返し型ＡＤＣ１００を表す説明図である。折り返し型ＡＤＣ１００はアナログ入力電圧Ｖｉｎを受信して対応する差動出力電圧（第一出力電圧Ｖｏｕｔ１と第二出力電圧Ｖｏｕｔ２を含む）を生じさせる。第一プルアップ抵抗器１０２と第二プルアップ抵抗器１０４はそれぞれ第一出力電圧Ｖｏｕｔ１と第二出力電圧Ｖｏｕｔ２を電源供給ノードＶＤＤと接続する。折り返し型ＡＤＣ１００は更に複数の差動増幅器１０６（図１には３個しか描かれていない）を含む。増幅器１０６ごとに２個のトランジスターと１個の電流源を含み、入力電圧Ｖｉｎと参照電圧（Ｖｒｅｆ１、Ｖｒｅｆ２またはＶｒｅｆ３）を受信する。図１による折り返し型ＡＤＣ１００では、奇数番号の参照電圧（Ｖｒｅｆ１またはＶｒｅｆ３）を受信する増幅器はいずれも第一増幅器（参照電圧Ｖｒｅｆ１を受信する増幅器）と同じ方式で折り返し型ＡＤＣ１００に電気的に接続される。偶数番号の参照電圧（Ｖｒｅｆ２）を受信する増幅器はいずれも第二増幅器（参照電圧Ｖｒｅｆ２を受信する増幅器）と同じ方式で折り返し型ＡＤＣ１００に電気的に接続される。
【０００６】
図２を参照する。図２は折り返し型ＡＤＣ１００の差動出力電圧Ｖｏｕｔを表す説明図である。前述の通りに、折り返し型ＡＤＣ１００の出力電圧Ｖｏｕｔは第一出力電圧Ｖｏｕｔ１と第二出力電圧Ｖｏｕｔ２が構成した差動信号である。図２によれば、理想的な出力電圧２０６はいずれの参照電圧（Ｖｒｅｆ１、Ｖｒｅｆ２、Ｖｒｅｆ３）においてもゼロ交差点を有する。増幅器１０６が交替的に第一出力電圧Ｖｏｕｔ１と第二出力電圧Ｖｏｕｔ２と接続されるため、入力電圧が各参照電圧を超えるたび、理想的な差動出力電圧２０６はプラスからマイナスに変換する（またはマイナスからプラスに変換する）。理想的な状態では、第一プルアップ抵抗器１０２は第二プルアップ抵抗器１０４と同じ抵抗値があり、折り返し型ＡＤＣ１００の増幅器１０６はいずれも最良な整合状態を有する。更に言えば、各増幅器のトランジスター１０８、１１２は同等の特性（例えば閾値電圧などのパラメーター）を有し、各電流源１１０は各増幅器１０６に同等のバイアス電流を提供できる。しかし実際、完全に整合したプルアップ抵抗器１０２、１０４またはトランジスター１０８、１１２を製作するか、電流源１１０も完全に同等のバイアス電流を提供するのが困難である。したがって、図２によれば、理想的な出力電圧２０６は点線２０２のところまで偏移する可能性がある。
【０００７】
このような増幅器とプルアップ抵抗器の非理想的な特性はＡＤＣの線形性を低減させる。この問題の解決策としてさまざまな提案が紹介される。例えば、デジタル校正関数でＡＤＣの出力信号を校正することは可能である。校正の過程において、まず関数発生器で既知の入力電圧を提供する。既知の入力電圧ごとにＡＤＣの出力信号を記録することによって、ＡＤＣの出力信号を正確なデジタル出力値の変換公式に対応させることができる。しかし、このような方法にも欠点がある。例えば、入力信号を提供する関数発生器のみならず、ＡＤＣの出力信号を正確なデジタル出力値に対応させるハードウェアサイクル（またはソフトウェアサイクル）を必要とすることは複雑である。
【発明の開示】
【発明が解決しようとする課題】
【０００８】
この発明は前述の問題を解決するため、校正可能なＡＤＣを提供することを課題とする。
【課題を解決するための手段】
【０００９】
この発明によるＡＤＣは、入力電圧を受信して第一出力電圧と第二出力電圧を生じさせる１個以上のフォルダーと、第一出力電圧と第二出力電圧によってバイアス制御信号を生じさせる校正ロジックモジュールとを含む。そのうちフォルダーは、複数の参照電圧をそれぞれ受信する複数の増幅器を含み、増幅器は、複数のバイアス制御信号のうちの１つ以上によってバイアス電流を増幅器に提供するバイアス回路を含む。なお、校正を実行する際、校正ロジックモジュールはフォルダーのあらゆる増幅器のバイアス回路を制御するためのバイアス制御信号を提供して、第一出力電圧と第二出力電圧を実質的に一致させる。
【００１０】
この発明は更にＡＤＣを校正する方法を提供する。ＡＤＣは入力電圧を受信して第一出力電圧と第二出力電圧を生じさせる１個以上のフォルダーを含む。フォルダーは、複数の参照電圧をそれぞれ受信する複数の増幅器を含む。各フォルダーの各増幅器に対して該方法は、入力電圧を増幅器に対応する参照電圧と実質的に同一に設定し、第一出力電圧と第二出力電圧によってバイアス電流のうち１つ以上を調整して、第一出力電圧と第二出力電圧を実質的に一致させるなどのステップを含む。
【発明の効果】
【００１１】
この発明によるＡＤＣは、別途の関数発生器とＡＤＣやハードウェアサイクル（またはソフトウェアサイクル）がなくても校正が可能である。
【発明を実施するための最良の形態】
【００１２】
かかる装置及び方法の特徴を詳述するために、具体的な実施例を挙げ、図示を参照にして以下に説明する。
【００１３】
図３を参照する。図３はこの発明を表す説明図である。増幅器３０２は第一トランジスター３１２と、第二トランジスター３１４と、インピーダンス３１６と、バイアス回路３１８とを含む。増幅器３０２の第一入力端は参照電圧Ｖｒｅｆを受信し、第二入力端はスイッチ３０６（スイッチ３０６は入力電圧Ｖｉｎまたは参照電圧Ｖｒｅｆを選択的に出力する）とカップリングされる。なお、増幅器３０２は第一出力電圧Ｖｏｕｔ１と第二出力電圧Ｖｏｕｔ２を出力し、第一出力電圧Ｖｏｕｔ１と第二出力電圧Ｖｏｕｔ２はそれぞれ第一プルアップ抵抗器３０８と第二プルアップ抵抗器３１０によって電源供給ノードＶＤＤのバイアス電圧まで引き上げられる。
【００１４】
この発明によれば、第一トランジスター３１２と第二トランジスター３１４のドレインはそれぞれ第一出力電圧Ｖｏｕｔ１と第二出力電圧Ｖｏｕｔ２を出力する。第一トランジスター３１２のゲートは参照電圧Ｖｒｅｆを受信し、第二トランジスター３１４のゲートは入力電圧Ｖｉｎまたは参照電圧Ｖｒｅｆ（スイッチ３０６の状態によって決められる）を受信する。第一トランジスター３１２と第二トランジスター３１４はインピーダンス３１６（この発明では抵抗器をインピーダンス３１６とする）で相互カップリングされ、更にそれぞれバイアス回路３１８とカップリングされる。第一出力電圧Ｖｏｕｔ１と第二出力電圧Ｖｏｕｔ２は校正ロジックモジュール３０４とカップリングされ、校正ロジックモジュール３０４はバイアススイッチ制御信号ＢＯＮ／ＯＦＦとバイアス電流制御信号ＢＣＴＲＬでバイアス回路３１８を制御する以外、スイッチ制御信号Ｓでスイッチ３０６を制御する。なお、バイアス回路３１８は更に、デジタル／アナログ変換器（ＤＡＣ）３２８と、第一調整可能電流源３２０と、第二調整可能電流源３２２とを含む。校正ロジックモジュール３０４は低オフセットコンパレーター３２４と、逐次近似レジスター（ＳＡＲ）３２６と、コントローラー３３０とを含む。
【００１５】
増幅器３０２を校正する際、コントローラー３３０はスイッチ３０６を切り替えて参照電圧Ｖｒｅｆを第二トランジスター３１４のゲートに送信する。こうして増幅器３０２の両入力端はいずれも参照電圧Ｖｒｅｆを受信できる。第一出力電圧Ｖｏｕｔ１と第二出力電圧Ｖｏｕｔ２が理想状態において同一の値を有するため、図２のような差動出力電圧Ｖｏｕｔのゼロ交差点は生じる。しかし、装置の特性が非理想的であるため、第一出力電圧Ｖｏｕｔ１と第二出力電圧Ｖｏｕｔ２は相違した値を有する可能性がある。この場合、コントローラー３３０はバイアス回路３１８を制御し、よってバイアス回路３１８は第一トランジスター３１２から第一バイアス電流を取り入れ、第二トランジスター３１４から第二バイアス電流を取り入れる。したがって第一出力電圧Ｖｏｕｔ１と第二出力電圧Ｖｏｕｔ２は実質的に同一になる。注意すべき点は、図２における差動出力電圧Ｖｏｕｔの振幅変化を防ぐため、第二バイアス電流の減少量は必ず第一バイアス電流の増加量と一致しなければならず、言い換えれば増幅器３０２が一定の合計値を有するバイアス電流を受信できるように維持しなければならない。したがって、バイアス電流を精密に制御することによって、第一出力電圧Ｖｏｕｔ１と第二出力電圧Ｖｏｕｔ２の値を一致させ、図２のような差動出力電圧Ｖｏｕｔのゼロ交差点を解消できる。
【００１６】
それ以外、反復的（iterative）校正も好ましい方法である。以下に反復的校正を説明する。まず、コントローラー３００の制御スイッチ３０６は参照電圧Ｖｒｅｆを増幅器３０２に送信して増幅器３０２所要のバイアス電流をオンにする。この際、第一バイアス電流と第二バイアス電流の値はいずれも増幅器３０２所要のバイアス電流の合計値の半分（Ｂｍｉｄｄｌｅは増幅器３０２所要のバイアス電流の合計値を表す）にあたる。低オフセットコンパレーター３２４は第一出力電圧Ｖｏｕｔ１と第二出力電圧Ｖｏｕｔ２を比較してから、比較結果をＳＡＲ３２６に送信する。第一出力電圧Ｖｏｕｔ１が第二出力電圧Ｖｏｕｔ２を上回れば、ＳＡＲ３２６は第一バイアス電流をＢｍｉｄｄｌｅ／（２ｉ＋１）と逓増させ、そのうち変数ｉは反復計数値である。第一回反復調整時にｉ＝１であり、第二回反復調整時にｉ＝２であるように、ｉの値は回数と関連する。増幅器３０２に一定のバイアス電流を確保するため、第二バイアス電流もＢｍｉｄｄｌｅ／（２ｉ＋１）と逓減する。バイアス回路３１８において、ＤＡＣ３２８はバイアス電流制御信号ＢＣＴＲＬをアナログ信号に変換して、それぞれ第一電流源３２０と第二電流源３２２によって取り入れられた第一バイアス電流と第二バイアス電流を調整する。つぎに、低オフセットコンパレーター３２４は第一出力電圧Ｖｏｕｔ１と第二出力電圧Ｖｏｕｔ２を再び比較して次回の反復調整を実行する。この際、システムは図２における差動出力電圧のゼロ交差点が要する精確度に応じて、反復校正の実行回数を決定できる。
【００１７】
図４を参照する。図４はこの発明による折り返し素子（以下フォルダーと称する）を表す説明図である（図３による増幅器を使用）。フォルダー４００はマルチプレクサー４０２を含むため、入力電圧Ｖｉｎまたはいずれかの参照電圧（Ｖｒｅｆ１、Ｖｒｅｆ２またはＶｒｅｆ３）を選択的に受信することができる。フォルダー４００の差動出力電圧は第一出力電圧Ｖｏｕｔ１と第二出力電圧Ｖｏｕｔ２を含み、両出力電圧はそれぞれ第一プルアップ抵抗器４０４と第二プルアップ抵抗器４０６によって電源供給ノードＶＤＤとカップリングされる。なお、フォルダー４００は更に複数の差動増幅器４０８（図４には３つしか描かれていない）を含む。差動増幅器４０８として図３における増幅器３０２は使用される。差動増幅器４０８はマルチプレクサー４０２の出力信号と、参照電圧（Ｖｒｅｆ１、Ｖｒｅｆ２またはＶｒｅｆ３）、バイアス電流制御信号（Ｂ１ＣＴＲＬ、Ｂ２ＣＴＲＬまたはＢ３ＣＴＲＬ）と、フォルダー４００のバイアススイッチ制御信号ＢＯＮ／ＯＦＦとを受信する。
【００１８】
校正を実行する際、校正中のフォルダー４００しかその増幅器４０８のバイアス電流がオンにされず、その他校正中ではないフォルダーはバイアススイッチ制御信号ＢＯＮ／ＯＦＦによってオフにされる。校正中のフォルダー４００の増幅器４０８は次々と校正され、各増幅器の第一バイアス電流と第二バイアス電流は前述の方法で反復的に調整される。第一バイアス電流と第二バイアス電流は、第一出力電圧Ｖｏｕｔ１が第二出力電圧Ｖｏｕｔ２と実質的に一致するまで調整される。調整完了後、第一バイアス電流と第二バイアス電流は固定値を維持し、システムは次の増幅器に対して調整を実行する。
【００１９】
図５を参照する。図５はこの発明によるＡＤＣを表す説明図である（図４による複数のフォルダーを有する）。ＡＤＣ５００はＮ個のフォルダーを含む（第一フォルダー５０２と第二フォルダー５０４しか描かれていない。もっとも、その他のフォルダーに対する校正は両フォルダーと同一である）。各フォルダーは３個の増幅器５２４（増幅器５２４の構造は図３を参照する）を含む。マルチプレクサー５０６は、各フォルダーがアナログ入力電圧Ｖｉｎまたはいずれかの参照電圧を選択的に受信できるようにさせる。この発明においていずれのフォルダーでも３個の増幅器５２４を有するため、フォルダーごとに３つの対応参照電圧がある。マルチプレクサー５０６の入力端はアナログ入力電圧Ｖｉｎ以外、ＡＤＣ５００のあらゆる増幅器が要する参照電圧とでもカップリングされる。平均抵抗器（averaging resistor）５０８は折り返し型ＡＤＣの常用素子であり、ＡＤＣにおけるフォルダーの差動出力電圧の平均値を取るものである。この発明によるＡＤＣ５００において、フォルダーの差動出力電圧は校正ロジックモジュール５１０とカップリングされる。校正ロジックモジュール５１０は、第二マルチプレクサー５１２と、低オフセットコンパレーター５１４と、ＳＡＲ５１６と、デマルチプレクサー５２０と、コントローラー５２２とを含む。
【００２０】
ＡＤＣ５００においてはフォルダーに対する校正は次々と実行され、フォルダーにおいては各増幅器は別々に校正される。校正する際、コントローラー５２２はバイアススイッチ制御信号（Ｆ１ＯＮ／ＯＦＦからＦＮＯＮ／ＯＦＦまで）でＡＤＣ５００におけるあらゆる増幅器（校正中のフォルダーの増幅器以外）を開閉する。校正中のフォルダーの第一バイアス電流と第二バイアス電流は初期にＢｍｉｄｄｌｅとの中間値に設定される。コントローラー５２２は第一マルチプレクサー５０６を切り替え、校正中の増幅器が要する参照電圧を出力する。なお、コントローラー５２２も第二マルチプレクサー５１２を切り替え、校正中の増幅器の属するフォルダーの第一出力電圧と第二出力電圧を低オフセットコンパレーター５１２とカップリングする。図３による逐次近似法を利用して、低オフセットコンパレーター５１４は第一出力電圧Ｆ１Ｙｏｕｔ１と第二出力電圧Ｆ１Ｖｏｕｔ２を比較する。低オフセットコンパレーター５１４の出力端はＳＡＲ５１６と接続される。第一出力電圧が第二出力電圧を上回れば、ＳＡＲ５１６は第一バイアス電流Ｂｍｉｄｄｌｅ／（２ｉ＋１）と逓増させ、そのうち変数ｉは反復計数値である。校正中の増幅器に一定の合計値を有するバイアス電流を確保するため、第二バイアス電流もＢｍｉｄｄｌｅ／（２ｉ＋１）と逓減する。デマルチプレクサー５２０はバイアス電流制御信号（Ｆ１Ｂ１ＣＴＲＬからＦＮＢ３ＣＴＲＬまで）を校正中の増幅器におけるバイアス回路に送信する。続いて、低オフセットコンパレーター５１４は第一出力電圧と第二出力電圧を再び比較して次回の反復調整を実行する。この際、システムは図２における差動出力電圧のゼロ交差点が要する精確度に応じて、反復校正の実行回数を決定できる。
【００２１】
第一出力電圧と第二出力電圧が実質的に一致すれば、１個の増幅器の校正は終了する。コントローラー５２２は第一マルチプレクサー５０６とデマルチプレクサー５２０を切り替え、次の増幅器に対して校正を実行する。フォルダーのあらゆる増幅器が校正されれば、コントローラー５２２はバイアススイッチ制御信号（Ｆ１ＯＮ／ＯＦＦからＦＮＯＮ／ＯＦＦまで）でフォルダーのバイアス電流をオフにして、次のフォルダーのバイアス電流をオンにする。続いて、デマルチプレクサー５２０は調整されたバイアス電流制御信号を調整された増幅器に送信する。よってＡＤＣ５００が作動すると、各増幅器は適当なバイアス電流を有する。ＡＤＣ５００のあらゆるフォルダーのあらゆる増幅器５２４を調整した後、コントローラー５２２はマルチプレクサー５０６を切り替えてアナログ入力電圧Ｖｉｎを各フォルダーに出力し、更に第二マルチプレクサー５１２をオフにしてバイアススイッチ制御信号（Ｆ１ＯＮ／ＯＦＦからＦＮＯＮ／ＯＦＦまで）でＡＤＣ５００のあらゆるフォルダーのあらゆる増幅器５２４のバイアス電流をオンにする。したがって、ＡＤＣ５００は正常に作動できる。
【００２２】
例えば、第一フォルダー５０２の第一増幅器５２４（参照電圧Ｆ１Ｖｒｅｆ１とカップリングされる）を校正する際、コントローラー５２２は第一マルチプレクサー５０６を切り替えてＦ１Ｖｒｅｆ１をその出力信号とし、更に第二マルチプレクサー５１２を切り替えてＦ１Ｖｏｕｔ１とＦ１Ｖｏｕｔ２を低オフセットコンパレーター５１４に接続する。図３による逐次近似法を利用してバイアス電流制御信号Ｆ１Ｂ１ＣＴＲＬは、第一出力電圧Ｆ１Ｖｏｕｔ１と第二出力電圧Ｆ１Ｖｏｕｔ２が実質的に一致するまで第一バイアス電流と第二バイアス電流を調整する。
【００２３】
図６を参照する。図６はこの発明によるＡＤＣを校正する方法のフローチャートである。この発明による方法は下記の通りである。
【００２４】
ステップ６０２：ＡＤＣのあらゆるフォルダーのあらゆる増幅器のバイアス電流をオフにする。
【００２５】
ステップ６０４：第一フォルダーに対して校正を実行する（Folder=1）。
【００２６】
ステップ６０６：校正中のフォルダーの増幅器の第一バイアス電流と第二バイアス電流とをオンにする。
【００２７】
ステップ６０８：校正中のフォルダーの第一増幅器に対して校正を実行する（Amplifier=1）。
【００２８】
ステップ６１０：フォルダーの入力電圧を校正中の増幅器の参照電圧と同じように設定する。
【００２９】
ステップ６１２：反復計数値ｉを１に設定し、校正中の増幅器の第一バイアス電流と第二バイアス電流とを中間値Ｂｍｉｄｄｌｅに設定する。
【００３０】
ステップ６１４：第一出力電圧が第二出力電圧を上回るかどうかを照会する。第一出力電圧が第二出力電圧を上回れば、ステップ６１６を実行し、第一出力電圧が第二出力電圧を下回れば、ステップ６１８を実行する。
【００３１】
ステップ６１６：第一バイアス電流をＢｍｉｄｄｌｅ／（２ｉ＋１）と増加し、第二バイアス電流をＢｍｉｄｄｌｅ／（２ｉ＋１）と減少する。
【００３２】
ステップ６１８：第一バイアス電流をＢｍｉｄｄｌｅ／（２ｉ＋１）と減少し、第二バイアス電流をＢｍｉｄｄｌｅ／（２ｉ＋１）と増加する。
【００３３】
ステップ６２０：反復計数値ｉを逓増する（ｉ＝ｉ＋１）。
【００３４】
ステップ６２２：ｉが制限値Ｍを下回るかどうかを照会する。ｉが制限値Ｍを下回れば、ステップ６１４を実行し、ｉが制限値Ｍを上回れば、ステップ６２４を実行する。
【００３５】
ステップ６２４：校正中のフォルダーに校正必要な増幅器があるかどうかを照会する。あればステップ６２６を実行し、なければステップ６２８を実行する。
【００３６】
ステップ６２６：次の増幅器に対して校正を実行する（Amplifier=Amplifier+1）。
【００３７】
ステップ６２８：ＡＤＣに校正必要なフォルダーがあるかどうかを照会する。あればステップ６３０を実行し、なければステップ６３４を実行する。
【００３８】
ステップ６３０：校正中のフォルダーにおける増幅器の第一バイアス電流と第二バイアス電流をオンにする。
【００３９】
ステップ６３２：次のフォルダーに対して校正を実行する（Folder=Folder+1）。ステップ６０６を実行する。
【００４０】
ステップ６３４：ＡＤＣのあらゆるフォルダーをオンにしてＡＤＣを作動させる。
【００４１】
注意すべき点は、スタンダードＣＭＯＳの電力消費はＢＪＴまたはＢｉＣＭＯＳベースの回路より低いため、前述はスタンダードＣＭＯＳを前提として説明する。もっとも、この発明にＢＪＴまたはＢｉＣＭＯＳを使用しても可能である。この場合は同じく、ＡＤＣのフォルダーの数量またはフォルダーにおける増幅器の数量は要求に応じて変えられる。なお、この発明もシングルエンドのシステム構造に適用する。
【００４２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００４３】
この発明によるＡＤＣは、別途の関数発生器とＡＤＣやハードウェアサイクル（またはソフトウェアサイクル）がなくても校正が可能である。
【図面の簡単な説明】
【００４４】
【図１】従来の技術による折り返し型ＡＤＣを表す説明図である。
【図２】従来の折り返し型ＡＤＣの差動出力電圧を表す説明図である。
【図３】この発明を表す説明図である。
【図４】この発明によるフォルダーを表す説明図である。
【図５】この発明によるＡＤＣを表す説明図である。
【図６】この発明によるＡＤＣを校正する方法のフローチャートである。
【符号の説明】
【００４５】
１００、５００                        折り返し型ＡＤＣ
１０２、１０４、３０８、３１０        プルアップ抵抗器
１０６、４０８                        差動増幅器
１０８、１１２、３１２、３４１        トランジスター
３０２、５２４                        増幅器
３０４、５１０                        校正ロジックモジュール
３０６                                スイッチ
３１６                                インピーダンス
３１８                                バイアス回路
３２０、３２２                        調整可能電流源
３２４、５１４                        低オフセットコンパレーター
３２６、５１６                        ＳＡＲ
３２８                                ＤＡＣ
３３０、５２２                        コントローラー
４００、５０２、５０４                フォルダー
４０２、５０６、５１２                マルチプレクサー
５０８                                平均抵抗器
５２０                                デマルチプレクサー
【図１】
2005210721.tif 000003
【図２】
2005210721.tif 000004
【図３】
2005210721.tif 000005
【図４】
2005210721.tif 000006
【図５】
2005210721.tif 000007
【図６】
2005210721.tif 000008